(57)【要約】【課題】従来の鍵付傘立ては、傘の手元のみを施錠するだけであり、傘がむき出しになっているため盗難や破損事故が起こり易く、使用中に底に落ちてたまった水分を取り抜くことは困難である。さらに、施錠はコイン式ではないために、不要となった傘が放置されてしまうことがあった。また、一般的なコインロッカーでは、傘が入るようなロッカーは使用料が高く、傘専用ロッカーでないために他の荷物が傘に付着した水分よりぬれてしまうことがある。【解決手段】傘を個別のドア付ボックスに収納し、そのボックスを円筒状に配置して回転可能とする。さらに各ボックスには、水排出用の穴を設けるとともに、課金及び施錠用の装置をつけることにより、傘専用のコインロッカーとして使用できるようにする。【選択図】図１
2006263394.tif 000002
【特許請求の範囲】
【請求項１】
傘を個別に収納するドアにはコイン回収と施錠付きのボックスを複数個並べ、個別に保管することを特徴とする傘立て装置。
【請求項２】
前記ボックスを円筒状に並べ、そのボックスが支持具に従って左右に回転することを特徴とする請求項１記載の傘立て装置。
【請求項３】
前記ボックスの下部に排水口を設置し、各ボックスから排出された水を一箇所に集めることを特徴とする請求項１記載の傘立て装置。
【請求項４】
前記ボックスに、課金及び施錠用の装置を取り付け、投入されたコインを一箇所に集めること特徴とする請求項１記載の傘立て装置。
【請求項５】
前記ボックス内部を照らすとともに、広告照明としても使用可能な照明用の灯りを傘立て装置本体の上部に設置すること特徴とする請求項１記載の傘立て装置。
【発明の詳細な説明】
【技術分野】
【０００１】  この発明は、傘専用のコインロッカーの形状に関する。
【背景技術】
【０００２】  従来の傘立は、箱型の収納ケースを碁盤の目状に区切り、傘自体は露出している状態で保管している。鍵付の傘立ては、傘の手元のみを施錠している。また、傘に付着した水分は、箱の底にある受け皿にたまる構造になっているものが一般的である。
【発明の開示】
【発明が解決しようとする課題】
【０００３】  しかしながら以上の技術によれば、傘が露出しているため、いたずらや盗難、隣接する他の傘との接触により親骨や生地が破損するなどの可能性がある。また、傘に付着した水分は、底の受け皿にたまるが、その抜き取り作業は傘を保管している状態では困難である。更に、不必要になった傘や使用出来ない傘などを、ごみ箱代わりに捨てられてしまう可能性がある。また、傘自体が不揃いに収納されているため外観の見栄えも悪い。さらに、課金機能がないため、管理者がいない状態では保管料を徴収することができない。
そこで、この発明は、傘を個別の施錠付きのボックスに保管することで盗難や破損被害を未然に防止するとともに、天候の変化で不要になった傘を一時的に安全・安心して保管することが可能である。また各ボックス内に落ちた傘の水分を一箇所に集めることにより簡単に排出することを可能とし、さらに保管料を徴収することを可能にする傘専用コインロッカーを提供することを課題とする。
【課題を解決するための手段】
【０００４】  以上の課題を解決するために、第一発明は、傘を個別に収納するドア付のボックスを複数個並べ、個別に保管することを特徴とする傘立て収納装置である。
また、第二発明は、前記ボックスを円筒状に並べ、そのボックスが支持具に従って左右に回転することを特徴とする傘立て装置である。
また、第三発明は、前記ボックスの下部に排水口を設置し、各ボックスから排出された水を一箇所に集めることを特徴とする傘立て装置である。
また、第四発明は、前記ボックスに課金及び施錠用の装置を取り付け、投入されたコインを一箇所に集めること特徴とする傘立て装置である。
第五発明は、各ボックス内部を照らすとともに、電飾の広告照明としても使用可能な照明用の灯りを上部に設置すること特徴とする傘立て装置である。
【発明の効果】
【０００５】  第一発明によれば、傘は個別のボックスに収納されるため、いたずらや傘同士の接触による破損を防止することができ、見た目の雑然感もなくなる。
第二発明によれば、円筒状に並べた傘の収納ボックスを、中空軸を転倒防止のためにベアリング入りの土台に固定し安定させる。さらにその軸を中心に回転させることにより、傘の出し入れが容易になる。また、傘立て装置自体を壁に埋め込み、一部分のみを露出させることにより設置スペースの効率化と安全が図れる。
第三発明によれば、水を一箇所に集めるため、傘立て装置が使用中であっても水の排出が容易であり本体下部に取り付けた排水タンクを専用のドアを開けてから取り出すことが出来る。
第四発明によれば、投下されたコインは本体下部にある中空軸に設置されたコイン回収専用ボックス一箇所に集めることができる。コイン専用ボックスは施錠付きの専用ドアを開けてコインと共に回収が容易になる。
第五発明によれば、上部の照明によりボックス内が照らされることにより、暗い場所であっても使用可能である。また、電飾広告による収益を得ることが可能になる。
【発明を実施するための最良の形態】
【０００６】  この発明の一実施形態を、図１から図５に示す。
図２で示すように、断面が台形状のボックスに片開きのドア５と課金用装置７及び施錠用の装置６を設置する。また、ボックス内の上部には傘掛け用フック１７を取り付ける。このボックス数十個前後を図１で示すように円筒状に並べ、本体中空軸２に固定する。本体中空軸２は、ベアリング４を介して土台３に接続する。【０００７】  各ボックスの下部には図３で示すように、水を排出するための穴１１を設け、排水管１２を取り付け、中空軸２に設置された取り外し可能な水回収用タンク１３に接続し専用のドア１９を開け回収する。【０００８】  各ボックスの課金用の装置７に取り付けられたコインの導出路８を、図４で示すように、中空軸２を取り囲んでいる底の部分を傾斜させたドーナツ状の容器１２に接続する。さらに、容器９の底部一箇所に設けられたコイン回収ボックス１０に接続し施錠付きの専用ドア２０を開け回収する。【０００９】  本体１上部には、図３、図４で示すように、蛍光灯１４を用いた電飾の飾り板１５を設置する。ボックス上部を半透明のアクリル板１６とすることにより、この灯りをボックス内の照明とする。最上部は円錐１８にすることで上部に物を乗せられないようにする。【００１０】「実施形態の効果」
この実施形態によれば、傘同士の接触による破損事故を防ぐとともに、盗難やいたずらを防止することができる。さらに、水はタンクに回収されるので、使用中であっても水を捨てることができる。
また、この傘立てを駅や公共施設やアミューズメント施設などの出入り口に設置し傘用のコインロッカーとして使用することにより、不要時に傘を持ち歩くことを避けることができるようになる。【００１１】「他の実施形態」
図１の実施形態では、個別の傘収納ボックス多数個を円筒状に並べていたが、他の実施形態では、一つのユニットに仕切りを設け、一箇所の仕切りに一本ずつ傘を収納することにより一つのユニットに複数の傘を収納することとし、そのユニットを複数組み合わせた構造にしたものでもよい。【００１２】  また、図１の実施形態では、ドア部分に不透明の素材を使用していたが、他の実施形態では、ドア部分に透明な素材を使用したものでも良い。【００１３】  図６の実施形態では、本体中空軸２を、壁などに埋め込むことにより配置スペースを小さくすることも可能である。
【図面の簡単な説明】
【００１４】
【図１】この発明の一実施形態を示す斜視図。
【図２】個別の傘収納ボックスの拡大図。
【図３】コイン回収機構図。
【図４】コイン回収機構の拡大図。
【図５】雨水回収機構図。
【図６】本発明の他の実施例を示した斜視図。
【符号の説明】
【００１５】１    本体
２    中空軸
３    土台
４    ベアリング
５    ドア
６    施錠用装置
７    課金用装置
８    コイン導出路
９    コイン受け容器
１０  コイン回収ボックス
１１  排水口
１２  排水管
１３  雨水回収タンク
１４  蛍光灯
１５  電飾板
１６  アクリル板
１７  傘掛け用フック
１８  最上部円錐
１９  雨水回収専用ド
２０  コイン回収施錠付き専用ドア
【図１】
2006263394.tif 000003
【図２】
2006263394.tif 000004
【図３】
2006263394.tif 000005
【図４】
2006263394.tif 000006
【図５】
2006263394.tif 000007
【図６】
2006263394.tif 000008